(57)【要約】  本発明は、並置領域（ＡＰ）上の放射線の全反射によって身体部位（ＤＯ）の第１の画像（Ｉ１）を形成し、身体組織を通過してヘモグロビンに反射することができる放射線から身体部位（ＤＯ）の第２の画像（Ｉ２）を形成するように設計されたバイオメトリック・センサ取付部（Ｐ）の並置領域（ＡＰ）上に配置された個人の身体部位（ＤＯ）の向きを検出するための方法及び装置に関する。この方法は、基準座標系において、最初に、第１の画像内に示された身体部位の長手方向軸（Ａ）を判断し、次に、第２の画像内に示された身体部位の２つの長手方向縁（Ｂ１、Ｂ２）を判断するステップと、基準座標系において、このように判断された２つの縁部（Ｂ１、Ｂ２）及び軸（Ａ）の相対位置の測定値から、取付部に対する身体部位の向きを定めるステップと、を含むことを特徴とする。【選択図】図４
2013519956.tif 000002
【特許請求の範囲】
【請求項１】
並置領域（ＡＰ）上の放射線の全反射によって身体部位（ＤＯ）の第１の画像（Ｉ１）を形成し、身体組織を通過してヘモグロビンに反射することができる放射線から前記身体部位（ＤＯ）の第２の画像（Ｉ２）を形成するように設計されたバイオメトリック・センサ取付部（Ｐ）の前記並置領域（ＡＰ）上に配置された個人の前記身体部位（ＤＯ）の向きを検出するための方法であって、
基準座標系において、最初に、前記第１の画像内に示される前記身体部位の長手方向軸（Ａ）を判断し、次に、前記第２の画像内に示される前記身体部位の２つの長手方向縁部（Ｂ１、Ｂ２）を判断するステップと、
前記基準座標系において、このように判断された前記２つの縁部（Ｂ１、Ｂ２）及び前記軸（Ａ）の相対位置の測定値から、前記取付部に対する前記身体部位の向きを判断するステップと
を含むことを特徴とする方法。
【請求項２】
前記２つの縁部（Ｂ１、Ｂ２）及び前記軸（Ａ）の前記相対位置の前記測定値は、各々が、前記基準座標系において、前記軸（Ａ）と前記２つの縁部（Ｂ１、Ｂ２）の一方との間で測定された２つの距離（Ｄ１、Ｄ２）間の比であることを特徴とする、請求項１に記載の方法。
【請求項３】
前記取付部に対する前記身体部位の向きは、前記２つの距離が互いに等しくなく、かつ、次いで、前記向きの符号が、これらの前記２つの距離の差の符号によって与えられる場合に検出されることを特徴とする、請求項２に記載の方法。
【請求項４】
前記取付部に対する前記身体部位の向きは、前記２つの距離が、以前に測定され、かつ、前記取付部に対する前記身体部位の基準位置を表す２つの他の距離に等しくない場合に検出されることを特徴とする、請求項２に記載の方法。
【請求項５】
前記身体部位（ＤＯ）の横断方向軸（ＡＴ）と前記取付部（Ｐ）との間に形成される配置角は、測定された距離の対と経験的に予め定められた配置角との間のルックアップ・テーブル（Ｔ）から判断されることを特徴とする、請求項２から４のいずれか１項に記載の方法。
【請求項６】
このように判断された前記符号及び前記配置角の値から、前記第１の画像（Ｉ１）によって伝達される前記身体部位の表現を修正するステップも含むことを特徴とする、請求項５に記載の方法。
【請求項７】
前記取付部に対する前記個人の前記身体部位の前記向きが前記個人の識別のために正しいかどうかを、前記個人に表示するためのステップを含むことを特徴とする、請求項１から６のいずれか１項に記載の方法。
【請求項８】
並置領域（ＡＰ）上の放射線の全反射によって身体部位（ＤＯ）の第１の画像（Ｉ１）を形成し、身体組織を通過してヘモグロビンに反射することができる放射線から前記身体部位（ＤＯ）の第２の画像（Ｉ２）を形成するように設計されたバイオメトリック・センサ取付部（Ｐ）の前記並置領域（ＡＰ）上に配置された個人の前記身体部位（ＤＯ）の向きを検出するための装置であって、
基準座標系において、最初に、前記第１の画像内に示される前記身体部位の長手方向軸（Ａ）を判断し、次に、前記第２の画像内に示される前記身体部位の２つの長手方向縁部（Ｂ１、Ｂ２）を判断するための手段（ＤＥＴ１）と、
前記基準座標系において、このように判断された前記２つの縁部（Ｂ１、Ｂ２）及び前記軸（Ａ）の相対位置の測定値から、前記取付部に対する前記身体部位の向きを判断するための手段（ＤＥＴ２）と、
を備えることを特徴とする装置。
【請求項９】
取付部（Ｐ）を備え、かつ、前記並置領域（ＡＰ）上の放射線の全反射によって、前記取付部（Ｐ）の前記並置領域（ＡＰ）上に配置された個人の身体部位（ＤＯ）の第１の画像（Ｉ１）を形成し、身体組織を通過してヘモグロビンに反射することができる放射線から前記身体部位（ＤＯ）の第２の画像（Ｉ２）を形成するように設計されたバイオメトリック・センサであって、請求項８に記載の装置を備えることを特徴とするバイオメトリック・センサ。
【請求項１０】
並置領域（ＡＰ）上の放射線の全反射によって、センサ（ＣＡＰ）の取付部（Ｐ）の前記並置領域（ＡＰ）上に配置された個人の身体部位（ＤＯ）の第１の画像（Ｉ１）を形成し、身体組織を通過してヘモグロビンに反射することができる放射線から前記身体部位（ＤＯ）の第２の画像（Ｉ２）を形成するように設計されたバイオメトリック・センサ（ＣＡＰ）を備える識別設備であって、前記センサ内に統合される、又は前記センサとは別個のものである、請求項８に記載の装置を備えることを特徴とする識別設備。
【請求項１１】
情報キャリア上に格納されたコンピュータ・プログラムであって、前記プログラムは、請求項８に記載の装置によってロードされ、実行されたときに、請求項１から６のいずれか１項に記載の方法を実施するための命令を含むことを特徴とするコンピュータ・プログラム。
【発明の詳細な説明】
【技術分野】
【０００１】
本発明は、並置領域（ａｐｐｏｓｉｔｉｏｎ  ａｒｅａ）上の放射線の全反射によって身体部位の第１の画像を形成し、身体組織を通過してヘモグロビンに反射することができる放射線から身体部位の第２の画像を形成するように設計されたバイオメトリック・センサ取付部の並置領域上に配置された個人の身体部位の向きを検出するための方法に関する。
【背景技術】
【０００２】
個人の身体部位上で得られるボディプリント及び静脈網を、特に、個人の指のうちの１本の末節骨上で得られる指紋及び静脈網を読み取ることによって、個人を識別するための機器が知られている。
【０００３】
このタイプの機器において、個人は、第一に、２つの画像を光学的に形成するように設計されたバイオメトリック・センサの取付部の並置領域上にその人の身体部位を配置することによって、その人のバイオメトリック・データ、この場合はその人の身体部位のボディプリント及び静脈網の事前登録を進める必要がある。個人の身体部位のボディプリントを表す画像の１つは、並置領域上の放射線の全反射によって得られ、個人の身体部位の静脈網を表す他方の画像は、身体組織を通過してヘモグロビンに反射することができる放射線から得られる。直接視について論じられることもある。
【０００４】
図１ａは、所定のいわゆる基準位置に従って、バイオメトリック・センサ取付部Ｐの並置領域ＡＰ上に置かれた個人の身体部位ＤＯ、この場合は個人の指の１本の末節骨の正面図を示す。この場合、指の末節骨は、取付部上に平坦な状態で置かれる、つまり、指の横断方向軸ＡＴは、取付部Ｐに対して実質的に平行である。次に、ボディプリントの画像及び静脈網の画像が、事前登録段階の際に光学的に形成される。
【０００５】
ひとたび事前登録段階が行われると、例えば、アクセスが制限されている場所又は機械にアクセスするためには、この個人の識別が必要となる度に、再度、個人の身体の同じ部位をバイオメトリック・センサ取付部の並置領域上に配置しなければならず、これにより、その身体部位の２つの新しい画像が形成され、次に、新たに形成された画像又はこれらの画像から抽出されたデータを、事前登録段階の際に形成されたものと比較することにより、個人が識別される。
【０００６】
個人が自分の識別を行う必要がある場合は、ボディプリントの新しい画像及び静脈網の新しい画像が形成される。その際、図１ｂに示されるように、個人が、指を取付部の並置領域上の基準位置に置かない、この場合は、完全に平坦な状態に置かないということが起こり得る。言い換えると、横断方向軸ＡＴ及び取付部Ｐが、配置角（ｐｌａｃｉｎｇ  ａｎｇｌｅ）と呼ばれることもある、ゼロでない角度βを形成する。指の位置決めの誤り、この場合は取付部上に置かれた指の向きの誤りにより、もはや事前登録段階の際に形成された画像で表現されるものとは対応しないほど変形したボディプリント及び／又は静脈網の画像が提示され、それにより個人の識別の誤りが生じることがある。
【先行技術文献】
【特許文献】
【０００７】
【特許文献１】国際公開第２００８／１２９２０１号パンフレット
【発明の概要】
【０００８】
本発明によって解決される問題は、並置領域上の放射線の全反射によって身体部位の第１の画像を形成し、身体組織を通過してヘモグロビンに反射することができる放射線から身体部位の第２の画像を形成するように設計されたバイオメトリック・センサの取付部の並置領域上に配置された個人の身体部位の向きの検出することを可能にする方法を提供することである。
【０００９】
この目的を達成するために、本発明は、基準座標系において、最初に、第１の画像上に表された身体部位の長手方向軸を判断し、次に、第２の画像上に表された身体部位の２つの長手方向縁部を判断するステップと、基準座標系において、このように判断された２つの縁部及び軸の相対位置の測定値から、取付部に対する身体部位の向きを判断するステップとを含むことを特徴とする方法に関する。
【００１０】
従って、身体部位が、再度、バイオメトリック・センサ取付部の並置領域上に配置されると、本方法は、２つの新たに形成された画像上に示されるボディプリントと静脈網との間のオフセットを判断することによって、身体部位の向きを検出することを可能にする。
【００１１】
一実施形態によると、２つの縁部及び軸の相対位置の測定値は、各々が、基準座標系において、軸と２つの縁部の一方との間で測定された２つの距離間の比である。
【００１２】
この実施形態は、バイオメトリック・センサの画像平面上に形成された２つの画像を同じ基準座標系によって関連付け、次に、これら２つの画像から、判断された縁部の各々及び長手方向軸を分離する画素をカウントすることによって、距離をこれらの画像上で直接容易に測定できるので、実施するのが特に簡単である。
【００１３】
一実施形態によると、取付部に対する身体部位の向きは、２つの距離が互いに等しくなく、かつ、向きの符号が２つの距離の差の符号によって与えられる場合に検出される。
【００１４】
この実施形態は、ボディプリント全体の信頼できる表示を提供する、並置領域上の身体部位の基準位置を定めるために、特に事前登録段階の際に有利である。このモードは、後述されるように、身体部位を並置領域上に配置する際の不具合を修正するためにも有利である。
【００１５】
一実施形態によると、取付部に対する身体部位の向きは、２つの距離が、予め測定されかつ、取付部に対する身体部位の基準位置を表す他の２つの距離に等しくないときに検出される。
【００１６】
この実施形態は、バイオメトリック・センサ取付部に対する身体部位の向きと、予め登録された基準位置とを比較することを可能にするので有利である。
【００１７】
一実施形態によると、身体部位の横断方向軸と取付部との間に形成される配置角の値は、測定された距離の対と実験的に予め定められた配置角との間のルックアップ・テーブルから判断される。
【００１８】
一実施形態によると、本方法は、このように判断された符号及び配置角の値から第１の画像により伝達された身体部位の表現を修正するステップも含む。
【００１９】
一実施形態によると、本方法は、取付部に対する本人の身体部位の向きが識別のために正しいかどうかを、個人に表示するためのステップも含む。
【００２０】
ハードウェア態様の１つによると、本発明は、上記の方法の１つを実施するための手段を含む装置に関する。
【００２１】
別のハードウェア態様によると、本発明は、上記のような装置を統合するバイオメトリック・センサ、又は、別個のバイオメトリック・センサ及び上述の装置のいずれかを含む、個人を識別するための設備に関する。
【００２２】
本発明の上述の特徴及び他の特徴は、添付図面と関連して与えられる、例示的な実施形態の以下の説明を読むことでより明らかになるであろう。
【図面の簡単な説明】
【００２３】
【図１ａ】バイオメトリック・センサ取付部上の並置領域上に配置された個人の身体部位の正面図を示す。
【図１ｂ】バイオメトリック・センサ取付部上の並置領域上に配置された個人の身体部位の正面図を示す。
【図２ａ】並置領域上の放射線の全反射によって身体部位の第１の画像を撮影し、身体組織を通過してヘモグロビンに反射することができる放射線から第２の画像を撮影するように設計されたバイオメトリック・センサを概略的に示す。
【図２ｂ】並置領域上の放射線の全反射によって身体部位の第１の画像を撮影し、身体組織を通過してヘモグロビンに反射することができる放射線から第２の画像を撮影するように設計されたバイオメトリック・センサを概略的に示す。
【図３】本発明による、取付部Ｐに対する部位ＤＯの様々な向きに対して、バイオメトリック・センサ取付部の並置領域上に配置された個人の身体部位の向きを検出する方法を示す。
【図４】本発明による、取付部Ｐに対する部位ＤＯの様々な向きに対して、バイオメトリック・センサ取付部の並置領域上に配置された個人の身体部位の向きを検出する方法を示す。
【図５】本発明による装置を含む識別設備の例のブロック図を示す。
【発明を実施するための形態】
【００２４】
取付部Ｐを含み、取付部Ｐの並置領域ＡＰ上の放射線の全反射によって個人の身体部位ＤＯの第１の画像Ｉ１を形成し、身体組織を通過してヘモグロビンに反射することができる放射線から部位ＤＯの第２の画像Ｉ２を形成するように設計されたバイオメトリック・センサが、従来技術から知られている。読者は、例えば、特許文献１の下で、出願人により出願され公開された国際出願を参照することができる。
【００２５】
図２ａ及び図２ｂは、かかるバイオメトリック・センサＣＡＰの例を概略的に示す。
【００２６】
バイオメトリック・センサＣＡＰは、個人の身体部位ＤＯ（ここでは、手の指の第１指骨）のための並置領域ＡＰを構成するように用いられる、電磁放射線に対して少なくとも部分的に透過性である平坦な取付部Ｐを形成するプレート（典型的には、ガラス又は類似のもの）を含む。
【００２７】
取付部Ｐの下に、集束レンズＬ、及び、異なる波長を有する２つの電磁放射線を検出することができるセンサ手段Ｃが配置され、用いられるセンサはこれらの２つの波長に対して感応性であるか、又は、２つの波長に対してそれぞれ感応性のセンサの二重アレイが提供される。
【００２８】
第１の照射手段Ｓ１（例えば、ＬＥＤの形態の）が、レンズＬの周囲に、かつ、取付部Ｐの並置領域ＡＰと接触状態で配置された身体部位ＤＯをほぼ正面から照射するように配置される。第１の照射手段Ｓ１は、第１の波長を有する放射線を含む第１の光ビームＦ１を発し、この放射線は身体組織を通過しないように適合されているので、ＦＲ１と呼ばれ図２ａに破線で示されるこの放射線は、ひとたび並置領域ＡＰに反射すると、ボディプリントの光学情報を伝達する。典型的には、この波長は、赤色の範囲内にあり、例えば、約６５０ｎｍである。
【００２９】
第２の照射手段Ｓ２（例えば、ＬＥＤの形態の）は、取付部Ｐの並置領域ＡＰ上に配置された身体部位ＤＯを横方向から照射するように構成される。第２の照射手段Ｓ２は、第２の波長を有する放射線を含む第２の光ビームＦ２を発し、この放射線は身体組織を通過することができ、ヘモグロビンに、言い換えれば部位ＤＯの静脈網に反射される。典型的には、この波長は、近赤外線の範囲内にあり、例えば、約９５０ｎｍである。部位ＤＯの静脈網からの光学情報を伝達する反射放射線ＦＲ２が破線で示される。
【００３０】
変形態様において、特許文献１の下で公開された国際出願において説明されるように、単一の照射手段及び／又はプリズム光学素子を用いることが可能である。
【００３１】
一般的には、本発明は、例えば図２ａ及び図２ｂに関連して説明されたもののような、バイオメトリック・センサＣＡＰの取付部Ｐの並置領域ＡＰ上に配置された個人の身体部位ＤＯの向きを検出する方法に関する。
【００３２】
センサＣＡＰによる２つの画像Ｉ１及びＩ２の獲得に続いて、又は、変形態様において予め獲得され格納された画像Ｉ１及びＩ２若しくはこれら２つの画像から抽出されたデータに続いて、本方法は、基準座標系ＰＩにおいて、最初に、第２の画像Ｉ２上に示された身体部位の２つの長手方向縁部Ｂ１及びＢ２を、次に、第１の画像Ｉ１上に示された身体部位の長手方向軸Ａを判断するステップから開始する。このステップの後に、基準座標系ＰＩにおいて、このように判断された２つの縁部Ｂ１、Ｂ２及び軸Ａの相対位置の測定値から、取付部Ｐに対する身体部位ＤＯの向きを判断するステップが続く。
【００３３】
図３及び図４は、取付部Ｐに対する部位ＤＯの様々な向きに関する本方法を示す。
【００３４】
図３の左部に、画像Ｉ２上に示された部位ＤＯの長手方向縁部Ｂ１及びＢ２、即ち、画像Ｉ２により伝達された静脈網の長手方向縁部の表現、及び、画像Ｉ１上に示されたボディプリントＣＯの長手方向軸Ａの表現が、概略的に示される。画像Ｉ２から縁部Ｂ１及びＢ２を、及び画像Ｉ１から軸Ａを判断するための多くの既知の方法が存在する。例えば、画像Ｉ２により伝達される静脈網の表現を包含する矩形、及び、画像Ｉ１により伝達されるボディプリントの表現を包含する別の矩形を判断することを目的とする、包含体積測定アルゴリズムを用いることができる。次いで、縁部Ｂ１及びＢ２並びに軸Ａが、これらの矩形から容易に取得される。画像I１に適用される場合には長手方向軸Ａを容易に定めることができるボディプリントの輪郭を定め、画像Ｉ２に適用される場合には縁部Ｂ１及びＢ２を直接定める、輪郭点抽出アルゴリズムを用いることもできる。
【００３５】
一実施形態によると、図３の右部に示すように、２つの縁部Ｂ１及びＢ２並びに軸Ａの相対位置の測定値は、各々が基準面ＰＩにおいて測定された、軸Ａと２つの縁部Ｂ１、Ｂ２の一方との間の２つの距離Ｄ１、Ｄ２の比である。距離Ｄ１は、軸Ａと縁部Ｂ１との間に定められ、距離Ｄ２は、軸Ａと縁部Ｂ２との間に定められる。
【００３６】
一実施形態によると、基準面ＰＩは、例えば、センサＣＡＰのものであり、距離Ｄ１及びＤ２は、軸Ａと縁部Ｂ１、Ｂ２の一方との間の画素数を計算することにより測定される。
【００３７】
一実施形態によると、取付部Ｐに対する身体部位ＤＯの向きは、距離Ｄ１が距離Ｄ２に等しくなく、かつ、その時の向きの符号が差Ｄ２−Ｄ１の符号によって与えられる場合に検出される。
【００３８】
図３の右部において、距離Ｄ１及びＤ２は互いに等しく、これは配置角βがゼロである場合に対応する。
【００３９】
図４の左部には、配置角が正である、即ちＤ２＞Ｄ１である場合が示され、右部には、配置角が負である、即ちＤ１＞Ｄ２である場合が示される。
【００４０】
一実施形態によると、取付部Ｐに対する身体部位ＤＯの向きは、一対の距離（Ｄ１、Ｄ２）が、予め測定され、かつ、取付部Ｐに対する身体部位ＤＯの基準位置を表す一対の距離に等しくない場合に検出される。前述したように、この基準位置は、例えば、事前登録段階（登録）の際に定められる。
【００４１】
一実施形態によると、配置角βは、二対の測定距離と経験的に予め定められた配置角との間のルックアップ・テーブルＴから判断される。例えば、各々の配置角は、下限と上限との間にある距離Ｄ２とＤ１の差に対応し、角度５°は、ゼロではなく、５画素よりも少ない距離Ｄ２とＤ１の差に対応し、１０°の値は、６画素と１０画素との間にある距離Ｄ２とＤ１の差に対応する等である。
【００４２】
次いで、一実施形態によると、本方法は、第１の画像Ｉ１により伝達される身体部位ＤＯの表現、即ちボディプリントの表現ＣＯを、このように判断された符号及び配置角の値から修正するステップを含むことができる。この修正は、例えば、幾何学的変換を表現ＣＯに適用することからなる。この変換は、例えば、配置角に等しい角度により表現ＣＯをサポートする平面の回転、即ち、距離Ｄ２に等しい距離Ｄ１を取得するように並進運動により補完することができる回転である。
【００４３】
一実施形態によると、本方法は、個人に対して、取付部Ｐに対するその人の身体部位ＤＯの向きが識別のために正しいかどうかを表示するためのステップも含む。従って、本方法は、部位の向きが正しくない限り、つまり、距離Ｄ１とＤ２が互いに等しいか、又は、基準位置を定める一対の距離に等しくない限り、並置領域上の身体部位の位置を変えるように個人に要求するように設計することができる。
【００４４】
本発明に従って個人を識別するための設備の例が、図５に示される。
【００４５】
この設備は、例えば図２ａ及び図２ｂにおけるもののようなバイオメトリック・センサＣＡＰを含む。この場合、設備はまた、一方（Ｉ１）はボディプリントを表し、他方（Ｉ２）は静脈網を表す、２つの画像Ｉ１及びＩ２を連続的に又は同時にキャプチャするように、センサ手段Ｃと、照射手段Ｓ１及びＳ２とを制御する制御手段（マイクロコントローラ）ＭＣも含む。
【００４６】
さらに、設備は、各々が、第１の画像Ｉ１（個人の身体部位ＤＯのボディプリントの画像）から抽出されたデータＩｍｅ及び第２の画像Ｉ２（身体部位ＤＯの静脈網の画像）から抽出されたデータＩｍｖから形成されたデータの対（Ｉｍｖ、Ｉｍｅ）がメモリ内に保持されるストレージ手段ＭＥＭを含み、これらのデータの対（Ｉｍｖ、Ｉｍｅ）は、個人の登録（エンロールメント）の予備ステップの際にキャプチャされ、メモリ内に置かれ、次いで、身体部位ＤＯは基準位置とみなされる位置を占める。
【００４７】
設備は、取付部Ｐに対する個人の身体部位ＤＯの向きを検出するための装置Ｄも含む。
【００４８】
一実施形態によると、装置Ｄは、センサＣＡＰ内に統合され、別の実施形態によると、図５に示されるように、装置Ｄは、このセンサとは別個のものである。
【００４９】
装置Ｄは、基準座標系ＰＩにおいて、最初に、第１の画像Ｉ１内に示された身体部位ＤＯの長手方向軸Ａを判断し、次に、第２の画像Ｉ２上に示された身体部位の２つの長手方向縁部Ｂ１及びＢ２を定めるための手段ＤＥＴ１を含む。例えば、この基準座標系ＰＩは、２つの画像Ｉ１及びＩ２を重ね合わせることにより与えられ、次いで同じ画像平面上に定められ、次に、前述のように、コンピュータ・プログラムの命令が実施されて、縁部Ｂ１及びＢ２並びに軸Ａを抽出する。
【００５０】
装置Ｄはまた、基準座標系ＰＩにおいて、そのように判断された２つの縁部Ｂ１及びＢ２並びに軸Ａの相対位置の測定値から、取付部Ｐに対する身体部位ＤＯの向きを定めるための手段ＤＥＴ２も含む。
【００５１】
一実施形態によると、手段ＤＥＴ１及びＤＥＴ２は、例えばメモリＭＥＭのような情報キャリア上に格納されたコンピュータ・プログラムによって用いられ、該プログラムは、図５には示されない、この目的のためにコンピューティング手段及びメモリ手段が設けられた装置Ｄによりロードされ実行されたときに、上記の検出方法の１つを実施するための命令を含む。
【００５２】
一実施形態によると、装置Ｄはまた、上述したような描写ＣＯを修正するための手段ＣＯＲも含む。
【００５３】
一実施形態によると、メモリＭＥＭはまた、測定された距離の対と経験的に予め定められた配置角との間のルックアップ・テーブルＴも含む。従って、距離Ｄ１及びＤ２が手段ＤＥＴ２によって求められると、これらの距離は、メモリＭＥＭに送信され、メモリＭＥＭは、配置角を手段ＣＯＲに返す。
【００５４】
一実施形態によると、装置Ｄは、個人に対して、取付部Ｐに対するその身体部位の向きが識別のために正しいかどうかを表示するために設けられるグラフィカル・インターフェースＩＨＭも含む。このインターフェースＩＨＭは、手段ＤＥＴ２から発行する配置角及び／又は距離の符号及び／又は値を表示するために設けることもできる。
【００５５】
個人の識別を可能にするために、設備はまた、表現ＣＯ又は表現ＣＯ’のいずれかを前述のデータＩｍｅと比較し、比較の結果、特に、有効若しくは無効（例えば、識別情報の確認又は非確認、許諾又は拒否又はアクセス等）を表す信号を送るために、第１の画像Ｉ１により伝達されるボディプリントの表現ＣＯ、又は、一実施形態によると、手段ＣＯＲから送信される表現の修正版ＣＯ’及び格納手段ＭＥＭ内のメモリ内に保持されるボディプリントのデータＩｍｅを受信するように設計された、検証ユニットＶＡＬも含む。
【００５６】
従って、本例示の設備によると、静脈網のマッピングは、単に、並置領域ＡＰ上の身体部位ＤＯの配置角を判断することが可能な補助的基準として利用され、一実施形態によると、ボディプリントＣＯ又はその修正版ＣＯ’の画像は、固有の識別基準のままである。本発明の範囲から逸脱することなく、ボディプリント及び静脈網の獲得された画像の他の利用法を、個人を識別するために用いることができる。
【符号の説明】
【００５７】
Ａ：長手方向軸
ＡＰ：並置領域
ＡＴ：横断方向軸
Ｂ１、Ｂ２：長手方向縁部
Ｃ：センサ手段
ＣＡＰ：バイオメトリック・センサ
ＣＯ：ボディプリントの表現
ＣＯ’：ボディプリントの表現の修正版
ＣＯＲ：表現を修正するための手段
Ｄ：個人の身体部位の向きを検出するための装置
Ｄ１、Ｄ２：距離
ＤＥＴ１：身体部位の長手方向軸及び２つの縁部を定めるための手段
ＤＥＴ２：身体部位の向きを定めるための手段
ＤＯ：身体部位
Ｆ１、Ｆ２：光ビーム
ＦＲ１、ＦＲ２：反射された放射線
Ｉ１、Ｉ２：画像
ＩＨＭ：グラフィカル・インターフェース
Ｉｍｅ：第１の画像から抽出されたデータ
Ｉｍｖ：第２の画像から抽出されたデータ
Ｌ：集束レンズ
ＭＣ：マイクロコントローラ（制御手段）
ＭＥＭ：ストレージ手段
Ｐ：バイオメトリック・センサ取付部
ＰＩ：基準座標系（基準面）
Ｓ１、Ｓ２：照射手段
Ｔ：ルックアップ・テーブル
ＶＡＬ：認証ユニット
β：配置角
【図１ａ】
2013519956.tif 000003
【図１ｂ】
2013519956.tif 000004
【図２ａ】
2013519956.tif 000005
【図２ｂ】
2013519956.tif 000006
【図３】
2013519956.tif 000007
【図４】
2013519956.tif 000008
【図５】
2013519956.tif 000009
【国際調査報告】
2013519956.tif 000010
2013519956.tif 000011
2013519956.tif 000012
2013519956.tif 000013